(57)【要約】  【課題】  自動原稿給紙装置における原稿束の分離性を向上させる。  【解決手段】  原稿束２０をセットする原稿セット部１と、セットされた原稿束２０から原稿を送り出す送出部３と、送り出された原稿のうち最上の原稿を他から分離して所定位置に給紙する分離給紙部４、６と、を備えた自動原稿給紙装置において、原稿セット部１と分離給紙部４、６との間に、原稿束２０から送出された原稿の先端部を斜下方から斜上方の向きに屈曲させて分離を容易にするプレ分離手段３０を設ける。【選択図】  図１
2004307220.tif 000002
【特許請求の範囲】
【請求項１】
原稿束をセットする原稿セット部と、セットされた前記原稿束から原稿を送り出す送出部と、送り出された原稿のうち最上の原稿を他から分離して所定位置に給紙する分離給紙部と、を備えた自動原稿給紙装置において、
前記原稿セット部と前記分離給紙部との間に、前記原稿束から送出された原稿の先端部を斜下方から斜上方の向きに屈曲させて前記分離を容易にするプレ分離手段を設けたことを特徴とする自動原稿給紙装置。
【請求項２】
前記原稿セット部が前記原稿を先端が下方に位置するよう傾斜させ、前記プレ分離手段が、前記送出部と前記給紙部の間で前記原稿束の先端部を案内するとともに前記送出部と協働して前記最上の原稿を前記分離給紙部に向かって斜上方に屈曲させる屈曲案内部を有するものであることを特徴とする請求項１に記載の自動原稿給紙装置。
【発明の詳細な説明】
【技術分野】
【０００１】
本発明は複写機、ファクシミリなどの画像形成装置における自動原稿給紙装置、特に原稿を分離しやすくした自動原稿給紙装置に関する。
【背景技術】
【０００２】
複写機、ファクシミリなどの画像形成装置においては、原稿を自動的に取り込んで１枚ごとに分離して給紙する自動原稿給紙装置が用いられている。
【０００３】
従来のこの種の自動原稿給紙装置として例えば特許文献１に記載されたものがある。この装置では、原稿テーブルに水平にセットされた原稿束から最上位の原稿がほぼ水平に直進するよう送り出され、そのうちの１枚が分離機構により分離されて原稿読取位置に搬送されるようになっている。
【特許文献１】特開平３−１０６７５２号公報
【発明の開示】
【発明が解決しようとする課題】
【０００４】
しかしながら、このような従来の自動原稿給紙装置においては、原稿束から送り出された上方の原稿がほぼ直進して分離機構に進入する構成となっていたため、原稿束上方の原稿が複数枚密接して分離機構に送り出されて、うまく分離されず、原稿が重なって給紙される、いわゆる重送傾向にあった。
【０００５】
そこで、本発明は自動原稿給紙装置での原稿束の分離性を向上させることを目的とする。
【課題を解決するための手段】
【０００６】
請求項１に記載の発明は、原稿束をセットする原稿セット部と、セットされた原稿束から原稿を送り出す送出部と、送り出された原稿のうち最上の原稿を他から分離して所定位置に、給紙する分離給紙部と、を備えた自動原稿給紙装置において、原稿セット部と分離給紙部との間に、原稿束から送出された原稿の先端部を斜下方から斜上方の向きに屈曲させて分離を容易にするプレ分離手段を設けたことを特徴とする。したがって、原稿束から送り出された原稿が分離しやすい状態で分離給紙部に入ることにより確実な分離給紙が可能となる。
【０００７】
請求項２に記載の発明に係る自動原稿給紙装置は、請求項１に記載の発明に係る自動原稿給紙装置であって、原稿セット部が原稿を先端が下方に位置するよう傾斜させ、プレ分離手段が、送出部と給紙部の間で原稿束の先端部を案内するとともに送出部と協働して最上の原稿を分離給紙部に向かって斜上方に屈曲させる屈曲案内部を有するものであることを特徴とする。したがって、プレ分離手段が簡単な構造で実現されており、安価にプレ分離手段を実現できる。
【発明の効果】
【０００８】
請求項１に記載の発明によれば、前記原稿セット部と前記分離給紙部との間に、前記原稿束から送出された原稿の先端部を斜下方から斜上方の向きに屈曲させて前記分離を容易にするプレ分離手段を設けたことにより、原稿束の分離性を向上させることができる。
【０００９】
請求項２に記載の発明によれば、前記原稿セット部が前記原稿を先端が下方に位置するよう傾斜させ、前記プレ分離手段が、前記送出部と前記給紙部の間で前記原稿束の先端部を案内するとともに前記送出部と協働して前記最上の原稿を前記分離給紙部に向かって斜上方に屈曲させる屈曲案内部を有することにより、プレ分離手段が簡単な構造で実現されており、安価にプレ分離手段を実現できる。
【発明を実施するための最良の形態】
【００１０】
以下、本発明の実施の形態を図面に基づいて説明する。なお、図１は本発明の実施の形態を示しており、図２はその要部構成を示している。
【００１１】
図１において、本発明の実施の形態に係る自動原稿給紙装置は原稿テーブル１、呼びだしコロ３、給紙ベルト４、リバースコロ６および案内板３０からなり、複写機に原稿を給紙すべく複写機のコンタクトガラス８の上流に位置している。
【００１２】
図１においては、１は原稿束２０がセットされる原稿テーブルで、本発明にいう原稿セット部となっている。呼びだしコロ３は原稿テーブル１にセットされた原稿束２０を送り出し、呼びだしコロ３のみで送出部となっている。なお、原稿束２０は原稿が重なったもので、例えば普通、紙からなる同一形状のカットシート原稿が何枚も重なったものである。給紙ベルト４およびリバースコロ６は呼びだしコロ３から送り出された原稿束２０を一枚ごとに分離し、後の経路に給紙し、給紙ベルト４およびリバースコロ６は給紙部となっている。呼びだしコロ３（送出部）と給紙ベルト４およびリバースコロ６（分離給紙部）との間には原稿束２０を屈曲させる、すなわち局部的な湾曲をさせるための案内板３０（プレ分離手段）がある。なお、原稿テーブル１は複写機のコンタクトガラス８に対し傾斜しており、原稿の先端が下方に位置するようになっている。
【００１３】
案内板３０は窪み３１（屈曲案内部）において、原稿束２０を案内しており、呼びだしコロ３と協動して、最上の原稿を給紙ベルト４およびリバースコロ６に向かって斜上方に屈曲させる。
【００１４】
この案内板３０は窪み３１の部分において下方に屈曲しているので、原稿の先端部を斜下方から斜上方の向きに屈曲させて、原稿の送り出しと弾性回復作用を利用して原稿同志が密接しないようにし、原稿束２０を一枚ごとに分離することを容易にすることができる。
【００１５】
窪み３１の案内部の形状は、最深部において好ましく曲率半径２０ｍｍが最適である。また、窪み３１は案内板３０のほぼ中央にあり、下降斜面３２および上昇斜面３３の傾斜はほぼ等しい。
【００１６】
次に、本発明の実施の形態に係る自動原稿給紙装置の動作を説明する。
【００１７】
原稿テーブル１の上に原稿束２０をセットし、そのまま原稿ストップ爪２に突き当たるまで給紙口１３に差し込む。複写機本体の図示しないコピースタートボタンの押下により図示しない給紙モータが正回転する。それにより、呼びだしコロ３、給紙ベルト４が時計方向に回転し、リバースコロ６、プルアウトコロ５が反時計方向に回転する。それと同時に原稿ストップ爪２が上に上がり、呼びだしコロ３が落下する。原稿束２０は呼びだしコロ３により、案内板３０に送出される。
【００１８】
原稿束２０は、案内板３０により、原稿の先端部が斜下方から斜上方の向きに屈曲し、また案内板３０が有する窪み３１が原稿束２０を案内しており、呼びだしコロ３と協動するので、最上の原稿は給紙ベルト４およびリバースコロ６に向かって斜上方に屈曲される。
【００１９】
呼びだしコロ３により案内板３０側に原稿束２０が送り出された状態を図３に示す。原稿束２０は案内板３０の下降斜面３２まで下降し上昇斜面３３に原稿束２０の先端部が突き当たる。そして、窪み３１は原稿束２０を案内し、呼びだしコロ３と協動して、最上の原稿を給紙ベルト４およびリバースコロ６に向かって斜上方に屈曲させる。これにより原稿間に隙間gができ易くなり、原稿束２０を一枚ごとに分離することが容易になる。
【００２０】
原稿束２０からこのようにして送り出された原稿の先端部は給紙ベルト４とリバースコロ６のニップ部分に入り、上面側で時計方向に回転する給紙ベルト４と下面側で給紙ベルト４に対し所定の速度差をもって反時計方向に回転するリバースコロ６とにより原稿束２０の最も上に位置する原稿２１から他の原稿が１枚ごとに分離され、最上１枚の原稿がプルアウトコロ５およびプルアウトコロに連動するコロ対１４の近傍まで搬送される。
【００２１】
プルアウトコロ５の下流に配置されたプルアウトセンサ１８により原稿先端が検知されると、呼びだしコロ３は上に上がり、給紙ベルト４を駆動する給紙モータは正転から逆転に駆動方向を切り替え、駆動系の構成で呼びだしコロ３と給紙ベルト４は停止させることにより、プルアウトコロ５、リバースコロ６は反時計方向に回転したままで次原稿の分離部への進入を阻止する。そしてその状態で、原稿２１はプルアウトコロ５、コロ対１４、１５により搬送ベルト７およびコンタクトガラス８により構成される搬送部へと搬送される。給紙モータの逆転と同時に、搬送ベルト７を駆動する図示しない搬送モータが正転し、原稿は搬送ベルト７によりコンタクトガラス８上に搬送され、コンタクトガラス８上の所定の位置に停止される。レジストセンサ１９は搬送ベルト７により搬送された原稿の後端を検知した後、搬送モータにより原稿を所定パルス数搬送した後に搬送モータを停止させる事により、原稿をコンタクトガラス８上の所定位置に停止させる。コンタクトガラス８上の原稿は、複写機本体の露光後、搬送モータが正転すると、同時に反転排紙モータが正転して、反転排紙コロ１１が反時計方向に回転し、切換爪９がｂ方向に切り換えられていると、反転排紙コロ１１と反転排紙コロ対１２により、原稿２１はそのまま排紙トレイ１０へ排出される。なお、切換爪９はａ方向に切り換えられると排紙経路が反転排紙経路と切り換えられる。
【００２２】
本実施の形態によれば、上述のように案内板３０により原稿の先端部を斜下方から斜上方の向きに屈曲させる簡素なプレ分離手段を構成したので、原稿束２０を一枚ごとに確実に分離給紙することができる。したがって、原稿束から送り出された原稿が分離しやすい状態で分離給紙部に入ることにより確実な分離給紙が可能となる。
【００２３】
また、原稿テーブル１に先端部が斜下方に位置するようにセットした原稿束２０から、呼びだしコロ３によって原稿を呼びだし、その際に最上の原稿を給紙ベルト４およびリバースコロ６に向かって斜上方に屈曲させるようにしているので、原稿束２０の分離をさらにすることを容易、確実にすることができ原稿枚数の多少に関係なく安定したプレ分離を行うことができる。
【図面の簡単な説明】
【００２４】
【図１】本発明の実施の形態に係る自動原稿給紙装置の構成を示す図である。
【図２】本発明の実施の形態に係る自動原稿給紙装置の要部構成を示す図である。
【図３】本発明の実施の形態に係る自動原稿給紙装置において、呼びだしコロ３により原稿束２０が送り出されたときの状態を示す図である。
【符号の説明】
【００２５】
１    原稿テーブル
２    原稿ストップ爪
３    呼びだしコロ
４    給紙ベルト
５    プルアウトコロ
６    リバースコロ
７    搬送ベルト
８    コンタクトガラス
９    切換爪
１０    排紙トレイ
１１    反転排紙コロ
１２    反転排紙コロ対
１３    給紙口
１４    コロ対
１５    コロ対
１８    プルアウトセンサ
１９    レジストセンサ
２０    原稿束
２１    原稿
３０    案内板
３１    窪み
３２    下降斜面
３３    上昇斜面
【図１】
2004307220.tif 000003
【図２】
2004307220.tif 000004
【図３】
2004307220.tif 000005